(57)【要約】      （修正有）【課題】上着を着用して腕や肩を動かす際に生じうる着用時の窮屈感を抑え、良好な着用感を与える上着を提供する。【解決手段】身頃部２１と、該身頃部２１の左右の袖ぐり２２，２２に縫着される袖部５１，５１とを備えた上着１０において、上着１０は、表地１１と裏地１２とを備え、裏地１２は、上腕裏地６６（５７，６２）を含み、上腕裏地６６（５７，６２）は、伸縮性を有するメッシュ生地で形成されたものであり、上腕裏地６６（５７，６２）は、袖部５１の裏側において、袖部５１の基端側から二の腕に配設され、肘には配設されていないことを特徴とする。【選択図】図１
0003167570.tif 000002
【実用新案登録請求の範囲】
【請求項１】
身頃部と、上記身頃部の左右の袖ぐりに縫着される袖部とを備えた上着において、
上記上着は、表地と裏地とを備え、
上記裏地は、上腕裏地を含み、
上記上腕裏地は、伸縮性を有するメッシュ生地で形成されたものであり、
上記上腕裏地は、上記袖部の裏側において、上記袖部の基端側から二の腕に配設され、肘には配設されていないことを特徴とする上着。
【請求項２】
上記上着は、背広の上着であり、
上記身頃部は、前身頃と、後身頃とを備え、
上記裏地は、背裏地を含み、
上記背裏地は、伸縮性を有するメッシュ生地で形成されたものであり、
上記背裏地は、上記後身頃の裏側において、背中に配設されるものであり、
上記袖部の肘には、上記伸縮性を有するメッシュ生地よりも滑りやすい生地の裏地が配設されることを特徴とする請求項１に記載の上着。
【請求項３】
上記裏地は、袖ぐり裏地を含み、
上記袖ぐり裏地は、伸縮性を有するメッシュ生地で形成されたものであり、
上記袖ぐり裏地は、上記前身頃の裏側において、上記前身頃の左右の袖ぐり周縁に配設されることを特徴とする請求項２に記載の上着。
【考案の詳細な説明】
【技術分野】
【０００１】
本願考案は、上着、特に、スーツの上衣やブレザーの上着（以下、本願において背広の上着と言う）に関するものである。
【背景技術】
【０００２】
一般的に、背広の上着の多くは、上着の表側に用いられる表地と裏側に用いられる裏地とから構成されている。裏地は、上着の着脱のしやすさや着用時の動きやすさのために、また、型崩れや表地の痛みや汚れ等を防ぐために使用されており、滑りや肌触りの良さ、柔軟性を有する素材から形成される生地が用いられている。
【０００３】
しかしながら、上記の特徴を有する裏地は、表地と比べて伸縮性の小さい素材から形成される生地が多く、背広の上着を着用して腕の曲げ伸ばしや上げ下ろし等の腕や肩を動かす際に、表地と裏地とが連動することによって、裏地が突っ張ったりずり上がるなどして、動作の一部が制限され、スムーズに動作を行うことができないでいた。その結果、着用者に窮屈感を与え、着用感の低下を引き起こしていた。このような状態を改善するために、従来から、裏地の一部にタックを設けて動作による表地の伸びに対応させる等の対策が講じられてきが、設けられるタックの量には制限があるほか、場合によっては、設けられるタックが表地の外観に影響を及ぼす恐れがあった。
【０００４】
一方、特許文献１では、スーツの上着において、その関節部の肩部と肘部とに伸縮性を有する伸縮生地の裏地を縫着することによって、着用時の動きやすさを向上させるとともに良好な着心地を与える提案がなされている。詳しくは、上着着用時や上着を着用して腕や肩を動かした際に、上述のように裏地にタックを設けずともその伸縮生地が伸び縮みすることによって、着用時の動きやすさを向上させ良好な着心地を与えようとしたものであるが、伸縮生地は従来の裏地と比較して滑り性が劣るために、上着を着用して腕や肩を動かした際に、特に肘を屈伸させた際に、伸縮裏地が肘に引っ掛かるとともに、肘が後方へ引っ張られるように感じられ、着用感が低下する恐れがあった。
【先行技術文献】
【特許文献】
【０００５】
【特許文献１】実用新案登録第３１５５７０４号公報
【考案の概要】
【考案が解決しようとする課題】
【０００６】
本願考案は、上着において、袖部の二の腕には伸縮性を有するメッシュ生地の裏地を配設し、袖部の肘には伸縮性を有するメッシュ生地の裏地を用いず、望ましくは通常裏地として使用される生地を配設することによって、伸縮性を有するメッシュ生地の伸びと肘の滑りとを利用して、上着を着用して腕の曲げ伸ばしや上げ下ろし等の腕や肩を動かす際に生じうる着用時の窮屈感を抑え、良好な着用感を与える上着を提供することを課題とする。
【課題を解決するための手段】
【０００７】
上記課題を解決するために、本願の請求項１に記載の考案は、身頃部と、上記身頃部の左右の袖ぐりに縫着される袖部とを備えた上着において、上記上着は、表地と裏地とを備え、上記裏地は、上腕裏地を含み、上記上腕裏地は、伸縮性を有するメッシュ生地で形成されたものであり、上記上腕裏地は、上記袖部の裏側において、上記袖部の基端側から二の腕に配設され、肘には配設されていないことを特徴とする上着を提供する。
【０００８】
また、本願の請求項２に記載の考案は、上記上着は、背広の上着であり、上記身頃部は、前身頃と、後身頃とを備え、上記裏地は、背裏地を含み、上記背裏地は、伸縮性を有するメッシュ生地で形成されたものであり、上記背裏地は、上記後身頃の裏側において、背中に配設されるものであり、上記袖部の肘には、上記伸縮性を有するメッシュ生地よりも滑りやすい生地の裏地が配設されることを特徴とする請求項１に記載の上着を提供する。
【０００９】
また、本願の請求項３に記載の考案は、上記裏地は、袖ぐり裏地を含み、上記袖ぐり裏地は、伸縮性を有するメッシュ生地で形成されたものであり、上記袖ぐり裏地は、上記前身頃の裏側において、上記前身頃の左右の袖ぐり周縁に配設されることを特徴とする請求項２に記載の上着を提供する。
【考案の効果】
【００１０】
本願の請求項１の考案では、上着において、袖部の二の腕には伸縮性を有するメッシュ生地の裏地を配設し、袖部の肘には伸縮性を有するメッシュ生地の裏地を用いず、望ましくは通常裏地として使用される生地を配設することによって、伸縮性を有するメッシュ生地の伸びと肘の滑りとを利用して、上着を着用して腕の曲げ伸ばしや上げ下ろし等の腕や肩を動かす際に袖部に生じる裏地の突っ張りを抑えることができる上着を提供することができたものである。上述の構造により、上着の袖部における着用時の動きやすさを改善するとともに着用時に生じうる袖部の窮屈感を抑え、着用者に良好な着用感を与えることができたものである。
本願の請求項２の考案では、本願の請求項１の考案の効果に加え、背広の上着において、後身頃の背中に伸縮性を有するメッシュ生地の裏地を配設することによって、伸縮性を有するメッシュ生地の伸びを利用して、その上着を着用して腕の曲げ伸ばしや上げ下ろし等の腕や肩を動かす際に背中に生じる裏地の突っ張りを抑えることができる上着を提供することができたものである。また、袖部の肘には、通常裏地として使用される伸縮性を有するメッシュ生地よりも滑りやすい生地の裏地が配設されている。上述の構造により、上着の袖部及び背中における着用時の動きやすさを改善するとともに上着の袖部及び背中の着用時の窮屈感を抑え、着用者に良好な着用感を与えることができたものである。また、上述の構造により、裏地にタックを設ける必要がないため、表地の外観に影響を及ぼす恐れもない。
本願の請求項３の考案では、本願の請求項２の考案の効果に加え、前身頃の左右の袖ぐり周縁に伸縮性を有するメッシュ生地の裏地を配設することによって、上着着用時の動きやすさをさらに向上させ、着用者に快適な着用感を与える上着を提供することができたものである。
【図面の簡単な説明】
【００１１】
【図１】本願考案に係る上着全体を示すもので、（Ａ）は正面視した状態を示す説明図、（Ｂ）は背面視した状態を示す説明図、（Ｃ）は、側面視した状態を示す説明図である。
【図２】上着の身頃部を展開し、上着の身頃部の裏側を示す説明図である。
【図３】上着の袖部を分解したものであり、（Ａ）は袖谷部の平面図、（Ｂ）は袖山部の平面図、（Ｃ）は袖山部と袖谷部のそれぞれの要部を示す説明図である。
【図４】（Ａ）〜（Ｉ）は、それぞれ日常生活において腕や肩を動かす動作の一例を示す説明図である。
【考案を実施するための形態】
【００１２】
以下、図面に基づき本願考案の実施の形態の一例をとりあげて説明する。なお、本願における左右の表現は、着用者から見た方向とする。
【００１３】
本願考案に係る上着１０は、図１（Ａ）〜図１（Ｃ）に示すように、身頃部２１と、身頃部２１の左右の袖ぐり２２に縫着される左右の袖部５１，５１とを備えている。
【００１４】
また、本願考案に係る上着１０は、上着１０の表側に用いられる表地１１と、裏側に用いられる裏地１２とを備えている。裏地１２は、上着１０の内側である、表地１１の裏側に配設されている。
【００１５】
身頃部２１は、図１（Ａ）〜図１（Ｃ）及び図２に示すように、左右の前身頃２６，２６と、後身頃３３とを備える。左右の前身頃２６，２６は、左右の前身頃と、脇腹部分に位置する左右の細腹部とに分割して設けてもよい。左右の前身頃２６，２６は、表地１１をなす表前身頃２８，２８と、裏地１２をなす裏前身頃２９，２９とを備え、後身頃３３は、同じく表地１１をなす表後身頃３４と、裏地１２をなす裏後身頃３５とを備えている。この裏後身頃３５が、背裏地をなすものである。表後身頃３４は、左右対称の形状を有する２枚の表地を、その２枚の表地の対称軸をなす側端同士を縫着して形成され、裾にはセンターベント３９が設けられている。本実施形態においては、裏後身頃３５を後述する上背裏地３６とベント裏地４０とする。また、本実施形態においては、着用時に左右の前身頃２６，２６が上下に重なり合う合わせ部２７，２７の周縁である、表前身頃２８，２８の合わせ部の周縁の裏側に、表地１１と同じ生地で形成される見返し部３８，３８を備え、見返し部３８と裏前身頃２９とには、その内側（表前身頃２８と、見返し部３８と裏前身頃２９との間）に内ポケット３２が設けられている。この見返し部３８は、必ずしも備える必要はなく、本願考案の目的に逸脱しない範囲で適宜設定すればよい。
【００１６】
左右の裏前身頃２９，２９は、見返し部３８，３８を除く表前身頃２８，２８の裏側の略全体に渡って配設されている。その袖ぐり２２周縁には、伸縮性を有するメッシュ生地で形成される袖ぐり裏地３０を備え、袖ぐり２２周縁以外には、通常裏地として使用されている生地で形成される前身頃裏地３１を備えている。また、袖ぐり裏地３０と前身頃裏地３１とは、縫着して接続されている。本実施形態の袖ぐり裏地３０は、左右方向に伸縮性を有している。
【００１７】
上背裏地３６は、表後身頃３４の裏側の背中上部に配設され、左右対称の形状を有する２枚の伸縮性を有するメッシュ生地を縫着して形成されている。詳しくは、左右対称の形状を有する２枚の伸縮性を有するメッシュ生地において、２枚の生地が重なる重なり部３７を縫着して形成される。上背裏地３６は、通常の背抜仕立ての裏地と同様、表後身頃３４の裏側の背中上部に配設されていればよく、個人差にもよるが、成人男性において、身頃部２１をなす後身頃３３の襟ぐり中心２３から下方向に１５ｃｍ〜３０ｃｍの範囲に配設される。また、本実施形態の上背裏地３６は、左右方向に伸縮性を有している。さらに、本実施形態においては、表後身頃３４に設けられたセンターベント３９に、通常裏地として使用されている生地で形成されたベント裏地４０を配設している。その他、本実施形態においては、後身頃３３の裏地である裏後身頃３５として上背裏地３６とベント裏地４０を備え、センターベント３９以外の背中下部に裏地を備えていない背抜き仕立てとしているが、裏後身頃３５として、背中全体に上背裏地３６と同じく伸縮性を有するメッシュ生地を備え、裏後身頃３５を表後身頃３４の裏側に略全体に渡って配設する総裏仕立てとしてもよい。
【００１８】
袖部５１，５１は、その基端側が身頃部２１の左右の袖ぐり２２，２２に縫着されるものであり、図１（Ａ）〜図１（Ｃ）及び図３（Ａ）〜（Ｂ）に示すように、左右一対の袖山部５４，５４と袖谷部５９，５９とを備える。袖山部５４は、その基端側が着用者の肩先周辺に位置する部分であり、表地１１をなす表袖山部５５と、裏地１２をなす裏袖山部５６とを備え、着用者の肩先にあたる部分を袖山５２とする。袖谷部５９は、その基端側が着用者の脇周辺に位置する部分であり、同じく表地１１をなす表袖谷部６０と、裏地１２をなす裏袖谷部６１とを備え、着用者の脇に位置する部分を袖底７０とする。以後、表袖山部５５と表袖谷部６０とを合わせて表袖部６４とし、裏袖山部５６と裏袖谷部６１とを合わせて裏袖部６５とする。
【００１９】
裏袖山部５６は、先端側となる袖口５３を除く表袖山部５５の裏側の全体に渡って配設されている。その基端側から二の腕には、伸縮性を有するメッシュ生地で形成される上腕山裏地５７を備え、二の腕よりも先端側には、通常裏地として使用されている生地で形成される袖山裏地５８を備えている。また、上腕山裏地５７と袖山裏地５８とは、縫着して接続されている。裏袖谷部６１は、先端側となる袖口５３を除く表袖谷部６０の裏側の略全体に渡って配設されている。その基端側から二の腕には、伸縮性を有するメッシュ生地で形成される上腕谷裏地６２を備え、二の腕よりも先端側には、通常裏地として使用されている生地で形成される袖谷裏地６３を備えている。また、上腕谷裏地６２と袖谷裏地６３とは、縫着して接続されている。以後、上腕山裏地５７と上腕谷裏地６２とを合わせて上腕裏地６６とし、袖山裏地５８と袖谷裏地６３とを合わせて袖裏地６７する。上腕裏地６６は、袖部５１の基端側から二の腕に配設され、肘には配設されていない。肘には、袖裏地６７が配設されている。本実施形態の上腕裏地６６は、袖丈方向に伸縮性を有している。
【００２０】
上腕裏地６６は、個人差にもよるが、成人男性において、袖部５１の基端側に位置する袖山５２から先端側である袖口５３方向への長さをαとし、袖山５２から同じく袖部５１の基端側に位置する袖底７０までの袖口５３方向への長さをβとすると、少なくともα＞βとなるようにし、かつ、袖山５２から先端側である袖口５３方向への長さαが１３ｃｍ〜３０ｃｍの範囲に配設されることが望ましく、１５ｃｍ〜２５ｃｍの範囲に配設されることがより望ましい（図３（Ｃ）参照）。身長１７０ｃｍの成人男性において、上腕裏地６６は、袖山５２からの長さαが１８ｃｍの位置に配設されることが最善である。袖山５２からの長さαが１３ｃｍ未満では、上腕裏地６６が二の腕の一部にしか配設されないことから、着用時に上腕裏地６６が備える伸縮性を生かしきれない。また、袖山５２からの長さαが３０ｃｍを超えると上腕裏地６６が肘にまで配設されることになり、本願考案の目的を逸脱してしまうことになる。
【００２１】
本実施形態においては、袖部５１の丈を長袖として実施しているが、少なくとも本願考案に係る上着１０を着用した際に、袖部５１の丈が肘よりも先端側にあればよく、七部袖や八分袖等であってもよい。
【００２２】
本願考案に用いられる表地１１としては、通常表地として使用されるものであればよく、ウール、綿、麻等の天然繊維、アクリルやポリエステル等の合成繊維、２種以上の異なる繊維を混紡した混紡糸などからなる織布や編布等の種々の素材の布を使用することができる。また、本願考案の目的を逸脱しない範囲において、表地１１の一部または全部に伸縮性を有する生地を使用してもよい。
【００２３】
本願考案に用いられる伸縮性を有するメッシュ生地としては、縦横方向、もしくは縦または横の一方向に適度な伸縮性を有するメッシュ状の生地であればよく、ポリウレタン等の伸縮性の糸を一部又は全部に使用している織物や編物からなる生地であればよい。好適なものの一例として、パワーネットが挙げられる。
【００２４】
また、本願考案に用いられる通常裏地として使用される生地としては、ポリエステル、レーヨン、キュプラ等の滑りや肌触りの良さ、柔軟性を有する素材からなる織布や編布等の種々の布を使用することができる。この通常裏地として使用される生地は、伸縮性を有するメッシュ生地と比べて滑り性がよい。
【００２５】
本願考案に係る上着１０は、通常のスーツの上衣の縫製と同じように、次のような手順で縫製して形成される。まず、裏前身頃２９の側端と見返し部３８の脇側の側端を縫着し、表前身頃２８の側端と見返し部３８の合わせ部側の側端、及び、表前身頃２８の裾の折り返し下端と裏前身頃２９の裾とをそれぞれ縫着して前身頃２６を形成する。同じく、表後身頃３４に、裏後身頃３５である上背裏地３６とベント裏地４０とを縫着して後身頃３３を形成する。次に、左右の表前身頃２８，２８と表後身頃３４との脇同士を縫着し、左右の裏前身頃２９，２９と上背裏地３６との脇同士を縫着する。さらに、左右の表前身頃２８，２８と表後身頃３４との肩を縫着し、左右の裏前身頃２９，２９と上背裏地３６との肩を縫着した後、左右の表前身頃２８，２８と表後身頃３４の襟ぐりと、左右の裏前身頃２９，２９と上背裏地３６の襟ぐりに、上襟部２４を縫着することによって身頃部２１が形成される。
【００２６】
袖部５１は、表袖山部５５と表袖谷部６０をその側辺同士を縫製し筒状とした表袖部６４と、裏袖山部５６と裏袖谷部６１とをその側辺同士を縫着して筒状とした裏袖部６５とを、表袖部６４の袖口６８周縁を折り返した折り返し下端と裏袖部６５の袖口６９とを縫着することによって形成される。その表袖部６４，６４の基端側を表前身頃２８と表後身頃３４とからなる左右の袖ぐり２２，２２に、その裏袖部６５，６５の基端側を裏前身頃２９と上背裏地３６とからなる左右の袖ぐり２２，２２にそれぞれ縫着して袖付けを行う。
【００２７】
上述のように、裏地１２は、左右の裏前身頃２９，２９と、上背裏地３６と、裏袖部６５，６５とを縫着して形成され、表地１１は、左右の表前身頃２８，２８と、表後身頃３４と、表袖部６４，６４とを縫着して形成されており、身頃部２１の上襟部２４と、裾部２５と、見返し部３８，３８と、袖口５３，５３とにおいて、表地１１と裏地１２とがそれぞれ縫着されている。上記の箇所以外においては、表地１１と裏地１２とは縫着されていない。なお、表地１１と裏地１２との縫着箇所は、必要に応じて、上記箇所以外にも設けてもよい。また、本願考案に係る上着１０を縫製して形成する前に、必要に応じて、芯地や肩パット等を取り付けてもよく、上着１０の縫製の際に、表地１１や裏地１２の端にパイピングを施してもよい。
【００２８】
本願考案に係る上着１０において、袖部の二の腕に配設される上腕裏地６６に伸縮性を有するメッシュ生地を用いるとともに、袖部の肘に配設される袖裏地６７に通常裏地として使用される伸縮性を有するメッシュ生地よりも滑りやすい生地を用いることによって、上腕裏地６６の袖丈方向の伸びと袖裏地６７の滑りとを利用して、上着１０を着用して腕の曲げ伸ばしや上げ下ろし等の腕や肩を動かす際に袖部５１，５１に生じる裏地の突っ張りを抑えることができる。上述の構造により、上着１０の袖部５１，５１における着用時の動きやすさを改善するとともに着用時に生じうる袖部５１，５１の窮屈感を抑え、着用者に良好な着用感を与えることができる。上着の袖において、二の腕に通常裏地として使用される生地を配設するとともに、肘に上腕裏地６６と同様の伸縮性を有する伸縮性生地を配設すると、伸縮性生地は、通常裏地として使用される生地と比較して滑り性が劣るために、上着を着用して腕や肩を動かす際に、特に肘を屈伸させる際に、伸縮性裏地が肘に引っ掛かってしまう。そして、伸縮性裏地が肘に引っ掛かった状態、つまり二の腕に配設された裏地が突っ張った状態で、その裏地が肘の動きに連動することによって、着用者に窮屈感を与え、着用感の低下を引き起こす恐れがある。一方、本願考案における上着１０においては、腕や肩を動かす際に袖裏地６７が滑ることによって、袖裏地６７が肘に引っ掛かることがなく、また、上腕裏地６６の伸びによって袖部５１，５１に生じる裏地の突っ張りを抑えることができるため、着用感の低下を引き起こすことがない。
【００２９】
また、背中上部に配設される裏後身頃３５である上背裏地３６に伸縮性を有するメッシュ生地を用いることによって、上背裏地３６の左右方向の伸びを利用して、上着１０を着用して腕の曲げ伸ばしや上げ下ろし等の腕や肩を動かす際に背中上部に生じる裏地の突っ張りを抑えることができる。上述の構造により、上着１０の袖部５１及び背中上部における着用時の動きやすさを改善するとともに着用時に生じうる上着１０の袖部５１，５１及び背中上部の窮屈感を抑え、着用者に良好な着用感を与えることができる。また、上述の構造により、裏地１２にタックを設ける必要がないため、表地１１の外観も良好である。
【００３０】
さらに、前身頃２６の左右の袖ぐり２２，２２の周縁に配設される袖ぐり裏地３０，３０に伸縮性を有するメッシュ生地を用い、上腕裏地６６，６６と、上背裏地３６と、袖ぐり裏地３０，３０とがそれぞれ縫着されたことにより、着用時にそれらが連動して伸縮することによってそれぞれの伸縮作用の相乗効果が得られ、着用時の動きやすさをさらに向上させ、着用者に快適な着用感を与える上着１０を提供することができる。以上のことから、本願考案に係る上着１０を着用して腕や肩を動かす際に、窮屈感を感じることなくスムーズに動作を行うことができる。また、その復元力によって着用前の状態に容易に復元することができる。
人間工学から見ても、人間の上半身の動きのほとんどは、前方あるいは上方への動きが主であり、後方や下方への動きは少ない。本実施形態のように、上着１０において、袖部５１，５１の二の腕と、後身頃３３の背中上部と、前身頃２６の左右の袖ぐり２２，２２に、伸縮性を有するメッシュ生地３０，３６，６６を用いることによって、上着１０を着用した状態で、図１（Ａ）〜図１（Ｃ）の矢印に示されるような、人間の大半の動きをスムーズに行うことができる。また、上着１０を着用した状態で、後方や下方への動きをスムーズに行うことができる。
【００３１】
なお、伸縮性を有するメッシュ生地の伸長率は、１０％以上とすることが望ましい。伸長率が１０％未満だと、伸縮性不足となり着用時の裏地の突っ張りを抑えるのに必要な伸びが得られない場合がある。なお、伸長率ＥＳ（ＥＳ＝（Ｗ−ｗ）／ｗ×１００）は、上背裏地３６の左右方向への伸び、または上腕裏地６６の袖丈方向への伸びから算出するものとし、ｗは伸ばす前の上背裏地３６または上腕裏地６６の長さ、Ｗは伸ばした後の上背裏地３６または上腕裏地６６の長さをとした。
【００３２】
その他、上腕裏地６６，６６と、上背裏地３６と、袖ぐり裏地３０，３０とが、伸縮性を有するメッシュ生地で形成されたことにより、本願考案に係る上着１０において、背中上部から二の腕周縁の通気性を向上させることができ、着用者に快適な着用感を与える上着１０を提供することができる。
【００３３】
本願考案に係る上着１０を着用して腕や肩を動かす動作としては、腕の曲げ伸ばしや上げ下ろし、腕や肩の回転等が考えられ、具体的には、図４（Ａ）〜（Ｉ）に示すように、（Ａ）及び（Ｂ）デスクワークを行う、（Ｃ）荷物を持つ／名刺を差し出す、（Ｄ）吊り革を持つ、（Ｅ）車内でポールを持つ、（Ｆ）背伸びをする／棚に荷物を載せる、（Ｇ）後ろに腕を組む、（Ｈ）前に腕を組む、（Ｉ）床のものを拾う／靴ひもを結ぶ等が挙げられる。
【００３４】
本願考案に係る上着１０は、背広の上着やジャケット、コート等の裏側に裏地を備える上着に適用することができる。
【符号の説明】
【００３５】
１０    上着
１１    表地
１２    裏地
２１    身頃部
２２    袖ぐり
２６    前身頃
３０    袖ぐり裏地
３３    後身頃
３６    上背裏地
５１    袖部
６６    上腕裏地
【図１】
0003167570.tif 000003
【図２】
0003167570.tif 000004
【図３】
0003167570.tif 000005
【図４】
0003167570.tif 000006